【手続補正書】
【提出日】平成30年12月7日(2018.12.7)
【手続補正１】
【補正対象書類名】特許請求の範囲
【補正対象項目名】請求項１４
【補正方法】変更
【補正の内容】
【請求項１４】
前記制御部は、前記第１バッテリユニットおよび前記第２バッテリユニットの一方を前記使用制限状態から前記使用可能状態に切り替え、前記第１バッテリユニットおよび前記第２バッテリユニットの一方のバッテリ残量が、前記第１バッテリユニットおよび前記第２バッテリユニットの一方について予め定められた第２の値以下になった場合、前記第１バッテリユニットおよび前記第２バッテリユニットの一方を前記使用可能状態から前記使用制限状態に切り替え、前記第１バッテリユニットおよび前記第２バッテリユニットの他方を前記使用制限状態から前記使用可能状態に切り替える、請求項１３に記載の自転車用電源システム。
【手続補正２】
【補正対象書類名】明細書
【補正対象項目名】００１９
【補正方法】変更
【補正の内容】
【００１９】
前記第１３側面に従う第１４側面の自転車用電源システムにおいて、前記制御部は、前記第１バッテリユニットおよび前記第２バッテリユニットの一方を前記使用制限状態から前記使用可能状態に切り替え、前記第１バッテリユニットおよび前記第２バッテリユニットの一方のバッテリ残量が、前記第１バッテリユニットおよび前記第２バッテリユニットの一方について予め定められた第２の値以下になった場合、前記第１バッテリユニットおよび前記第２バッテリユニットの一方を前記使用可能状態から前記使用制限状態に切り替え、前記第１バッテリユニットおよび前記第２バッテリユニットの他方を前記使用制限状態から前記使用可能状態に切り替える。
上記第１４側面に従えば、１つのバッテリユニットのバッテリ残量が第２の値以下になった場合に、所定順序に従って他のバッテリユニットの電力を使用するように速やかに切り替えることができる。
【手続補正３】
【補正対象書類名】明細書
【補正対象項目名】００３２
【補正方法】変更
【補正の内容】
【００３２】
ドライブユニット５０は、モータ６６および駆動回路６８を含む。モータ６６および駆動回路６８は、同一のハウジング５０Ａに設けられることが好ましい。駆動回路６８は、バッテリ５２からモータ６６に供給される電力を制御する。モータ６６は、自転車１０の推進をアシストする。モータ６６は、電気モータを含む。モータ６６は、ペダル３４から後輪２６までの人力駆動力の伝達経路、または、前輪２４に回転を伝達するように設けられる。モータ６６は、自転車１０のフレーム１８、後輪２６、または、前輪２４に設けられる。一例では、モータ６６は、クランク軸３０からフロント回転体３６までの動力伝達経路に結合される。モータ６６とクランク軸３０との間の動力伝達経路には、クランク軸３０を自転車１０が前進する方向に回転させた場合にクランク２８の回転力によってモータ６６が回転しないようにワンウェイクラッチ（図示略）が設けられるのが好ましい。ハウジング５０Ａには、モータ６６および駆動回路６８以外の構成が設けられてもよく、例えばモータ６６の回転を減速して出力する減速機が設けられてもよい。
【手続補正４】
【補正対象書類名】明細書
【補正対象項目名】００３７
【補正方法】変更
【補正の内容】
【００３７】
第１バッテリユニット７４は、第１端子７５Ａ、第２端子７５Ｂ、および、第３端子７５Ｃをさらに含む。第１端子７５Ａは、第１通信部７４Ｄの通信回路に接続される。第２端子７５Ｂは、電力供給線６４Ｂに電気的に接続される。第３端子７５Ｃは、補助電力線６４Ｃに電気的に接続される。第１〜第３端子７５Ａ〜７５Ｃは、それぞれ正極端子およびグランド端子を含んでいてもよく、少なくとも１つの端子７５Ａ〜７５Ｃにおいて、グランド端子が共通化されていてもよい。第２端子７５Ｂは、第１バッテリユニット７４の充電用および放電用の端子である。第２端子７５Ｂからは第１の電圧が出力可能である。第１制御部７４Ｂは、スイッチ回路を含む。スイッチ回路は、第２端子７５Ｂと第１バッテリセル７４Ａとを電気的に接続したり、第２端子７５Ｂと第１バッテリセル７４Ａとを電気的に絶縁したりするように構成される。第１制御部７４Ｂは、第３端子７５Ｃに、第１の電圧よりも低い第２の電圧を出力させている。第１の電圧は、例えば２８〜４２ボルトである。第２の電圧は、例えば５〜１０ボルトである。
【手続補正５】
【補正対象書類名】明細書
【補正対象項目名】００４２
【補正方法】変更
【補正の内容】
【００４２】
複数のバッテリユニット７０は、それぞれ表示部７４Ｅ，７６Ｅを含む。
図３に示されるとおり、第１表示部７４Ｅは、充電表示部７４Ｆ、放電表示部７４Ｇ、および、残量表示部７４Ｈを含む。充電表示部７４Ｆは、例えば１つの表示窓および表示窓に対応するＬＥＤ（light emitting diode）を含む。充電表示部７４Ｆは、第１バッテリユニット７４が充電状態にある場合に点灯し、非充電状態にある場合に消灯する。放電表示部７４Ｇは、例えば１つの表示窓および表示窓に対応するＬＥＤを含み、第１バッテリユニット７４が使用可能状態にある場合に点灯し、使用制限状態にある場合に消灯する。充電表示部７４Ｆおよび放電表示部７４Ｇを、液晶画面とし、第１バッテリユニット７４が、充電状態、非充電状態、使用可能状態、および、使用制限状態のいずれであるかを、文字または画像を用いて表示するようにしてもよい。
【手続補正６】
【補正対象書類名】明細書
【補正対象項目名】００５２
【補正方法】変更
【補正の内容】
【００５２】
クランク回転センサ５６は、クランク軸３０からフロント回転体３６までの人力駆動力の伝達経路において、クランク軸３０と一体に回転する部材に設けられてもよい。例えば、クランク回転センサ５６は、クランク軸３０とフロント回転体３６との間にワンウェイクラッチが設けられない場合、フロント回転体３６に設けられてもよい。クランク回転センサ５６は、ドライブユニット５０のハウジング５０Ａに設けられ、電力通信線６４Ａとは異なる電線で制御部４４に有線接続されていてもよく、無線で制御部４４に電気的に接続されていてもよい。クランク回転センサ５６は、電力通信線６４Ａに接続されて、制御部４４に電気的に接続されてもよい。この場合、クランク回転センサ５６には、ＰＬＣが可能な通信部が設けられる。
【手続補正７】
【補正対象書類名】明細書
【補正対象項目名】００５５
【補正方法】変更
【補正の内容】
【００５５】
表示装置６２は、自転車１０に関する情報を表示するように構成される。表示装置６２は、自転車１０の走行状況、周辺環境、バッテリ５２の残量レベル、自転車用コンポーネントの状態、および、操作部６０による操作内容の少なくとも１つを表示する。表示装置６２は、複数のバッテリユニット７０が第１状態および第２状態のいずれの状態であるかを表示する。表示装置６２は、自転車１０のハンドルバー２２Ｂ、ステム２２Ａ、または、フレーム１８に取り付けられる。表示装置６２は、他の自転車用コンポーネントおよびドライブユニット５０の少なくとも一方から受信した情報を表示する。表示装置６２は、信号を出力および外部の装置から信号が入力される通信部を含む。表示装置６２は、操作部６０と一体化されてもよい。表示装置６２は、電力通信線６４Ａに接続されている。表示装置６２は、複数のバッテリユニット７０のバッテリ残量Ｖを表示するように構成されていてもよい。表示装置６２は、複数のバッテリユニット７０のうち使用可能状態のバッテリユニット７０のバッテリ残量Ｖを表示するように構成されていてもよい。表示装置６２は、複数のバッテリユニット７０のバッテリ残量Ｖをそれぞれ切り替えて表示するように構成されていてもよい。表示装置６２は、複数のバッテリユニット７０のバッテリ残量Ｖを同時に表示するように構成されていてもよい。表示装置６２は、複数のバッテリユニット７０のバッテリ残量Ｖを同時に表示する場合、使用可能状態のバッテリユニット７０を表す情報と、使用制限状態のバッテリユニット７０を表す情報とを区別可能に表示するように構成される。表示装置６２は、例えば、使用可能状態のバッテリユニット７０を表す情報を点滅させたり、使用可能状態のバッテリユニット７０と使用制限状態のバッテリユニット７０とを互いに異なる色で表示させたりしてもよい。表示装置６２は、複数のバッテリユニット７０のうち、充電状態のバッテリユニット７０のバッテリ残量Ｖを表示するように構成されていてもよい。表示装置６２は、複数のバッテリユニット７０のバッテリ残量Ｖを同時に表示する場合、充電状態のバッテリユニット７０を表す情報と、非充電状態のバッテリユニット７０を表す情報とを区別可能に表示するように構成される。表示装置６２は、例えば充電状態のバッテリユニット７０を表す情報を点滅させたり、充電状態のバッテリユニット７０と非充電状態のバッテリユニット７０とを互いに異なる色で表示させたりしてもよい。
【手続補正８】
【補正対象書類名】明細書
【補正対象項目名】００６０
【補正方法】変更
【補正の内容】
【００６０】
制御部４４は、予め定められる制御プログラムを実行する演算処理装置を含む。演算処理装置は、例えばＣＰＵまたはＭＰＵを含む。制御部４４は、１または複数のマイクロコンピュータを含んでいてもよい。制御部４４は、さらにタイマを含む。制御部４４は、ドライブユニット５０に設けられる。制御部４４は、ドライブユニット５０のハウジング５０Ａに収容されることが好ましい。制御部４４は、トルクセンサ５４、クランク回転センサ５６、車速センサ５８、および、操作部６０の出力に応じてモータ６６を制御する。制御部４４は、電力通信線６４Ａに他の自転車用コンポーネントおよび充電器等の電子装置が接続されて、電力通信線６４Ａを介して接続された電子装置から通信部４８に所定の信号を与えられると、接続された電子機器を認識する。制御部４４は、ＰＬＣにおいてマスターとして機能し、電力通信線６４Ａを介して接続された電子装置の制御部は、ＰＬＣにおいてスレーブとして機能する。
【手続補正９】
【補正対象書類名】明細書
【補正対象項目名】００７５
【補正方法】変更
【補正の内容】
【００７５】
次に、制御部４４は、ステップＳ２３に移行し、放電対象のバッテリユニット７０のバッテリ残量Ｖが第２の値Ｖ２以下か否かを判定する。制御部４４は、放電対象のバッテリユニット７０の制御部７０Ａと通信して、記憶部７０Ｂに記憶されているバッテリ残量Ｖに関する情報を取得する。第２の値Ｖ２は、例えばバッテリ残量Ｖが満充電の状態の１〜１０％の間の値に選ばれる。制御部４４は、放電対象のバッテリユニット７０のバッテリ残量Ｖが第２の値Ｖ２以下であると判定すると、ステップＳ２７に移行し、放電対象のバッテリユニット７０が第２順序の最後か否かを判定する。制御部４４は、放電対象のバッテリユニット７０が第２順序の最後ではないと判定した場合、ステップＳ２８に移行する。制御部４４は、ステップＳ２８において、第２順序に基づいて現在の放電対象となっているバッテリユニット７０の次に優先順位の高いバッテリユニット７０を放電対象に設定する。例えば、複数のバッテリユニット７０が第１バッテリユニット７４および第２バッテリユニット７６のみを含み、第１バッテリユニット７４の優先順位が第２バッテリユニット７６よりも高く、かつ、第１バッテリユニット７４が現在の放電対象の場合、制御部４４は、第２バッテリユニット７６を放電対象のバッテリユニット７０に変更する。制御部４４は、ステップＳ２７において、現在の放電対象のバッテリユニット７０が第２順序の最後であると判定した場合、全てのバッテリユニット７０のバッテリ残量Ｖが第２の値Ｖ２以下のため、処理を終了する。
【手続補正１０】
【補正対象書類名】明細書
【補正対象項目名】００７６
【補正方法】変更
【補正の内容】
【００７６】
制御部４４は、ステップＳ２３において、放電対象のバッテリユニット７０のバッテリ残量Ｖが第２の値Ｖ２よりも大きいと判定した場合、ステップＳ２４に移行し、放電対象のバッテリユニット７０を使用可能状態に切り替え、ステップＳ２５に移行する。制御部４４は、放電対象のバッテリユニット７０の制御部７０Ａと通信し、バッテリユニット７０を使用制限状態から使用可能状態に切り替える指令をバッテリユニット７０の制御部７０Ａに与える。バッテリユニット７０の制御部７０Ａは、バッテリユニット７０を使用制限状態から使用可能状態に切り替える指令を受け取ると、バッテリユニット７０を使用制限状態から使用可能状態に切り替える。バッテリユニット７０の制御部７０Ａは、バッテリユニット７０を使用制限状態から使用可能状態に切り替えると、すぐに電力供給線６４Ｂに電力を出力可能としてもよく、バッテリユニット７０を使用制限状態から使用可能状態に切り替えた後、通信部が所定の信号を受信すると、電力供給線６４Ｂに電力を出力可能となってもよい。所定の信号は、たとえば操作部６０が操作されることに応じて制御部４４に与えられる信号を含む。制御部４４は、ステップＳ２５において、放電対象のバッテリユニット７０のバッテリ残量Ｖが第２の値Ｖ２よりも大きいか否かを判定する。制御部４４は、定期的に放電対象のバッテリユニット７０の制御部７０Ａと通信して、記憶部７０Ｂに記憶されているバッテリ残量Ｖに関する情報を取得する。制御部４４は、放電対象のバッテリユニット７０のバッテリ残量Ｖが第２の値Ｖ２よりも大きい場合、再びステップＳ２５に移行し、放電対象のバッテリユニット７０のバッテリ残量Ｖが第２の値Ｖ２以下になるまでステップＳ２５の判定処理を繰り返す。制御部４４は、ステップＳ２５において放電対象のバッテリユニット７０のバッテリ残量Ｖが第２の値Ｖ２以下になると、ステップＳ２６に移行する。
【手続補正１１】
【補正対象書類名】明細書
【補正対象項目名】００７８
【補正方法】変更
【補正の内容】
【００７８】
制御部４４は、ステップＳ２８において、放電対象のバッテリユニット７０が第２順序の最後であると判定した場合、処理を終了する。複数のバッテリユニット７０が第１バッテリユニット７４および第２バッテリユニット７６のみを含む場合であって、第１バッテリユニット７４の優先順位が第２バッテリユニット７６よりも高い場合、制御部４４は、第２バッテリユニット７６のバッテリ残量Ｖが第２の値Ｖ２以下になった場合に、ステップＳ２７で肯定判定し、処理を終了する。
【手続補正１２】
【補正対象書類名】明細書
【補正対象項目名】００９３
【補正方法】変更
【補正の内容】
【００９３】
充電器８０は、複数のバッテリユニット７０を充電可能に構成される。充電器８０は、外部の電源と接続可能に構成される。充電器８０は、制御部４４Ｂおよび通信部８２を含む。通信部８２は、自転車用電源システム４０Ｂに含まれる他のコンポーネントとの間で信号を送受信する。充電器８０は、複数のバッテリユニット７０に設けられる充電口７０Ｐのいずれか、または、電力通信線６４Ａおよび電力供給線６４Ｂに電気的に接続される充電口に接続可能に構成されている。